(57)【要約】不正変更に抗する温度ダイヤル（１６）と、関連する利用方法とが開示される。これは、加熱装置のためのコントローラー（１２）と連結された温度調節装置を含んでおり、該装置は、燃焼加熱装置における温度を設定するための回転可能なダイヤルを有し、リング（３０）を有し、該リングは、回転可能なダイヤルに作用するように付けられ、該リングは、複数のノッチ入り部分（２８）を含んでおり、かつ、弾性を持つ回り止め（３２）を有し、これは、リング上の複数のノッチ入り部分のうちの少なくとも１つと係合可能な第１部分を持ち、リング上の複数のノッチ入り部分のうちの少なくとも１つから該弾性を持つ回り止めの第１部分を脱係合させるために、該弾性を持つ回り止めに開放可能に圧力を加えるための第２部分（３４）を持ち、かつ、コントローラーまたは回転可能なダイヤルに作用するように付けられた第３部分（４２）を持っている。加熱装置は、電気またはガスのいずれかが可能である。【選択図】図２
2008520957.tif 000002
【特許請求の範囲】
【請求項１】
加熱装置のためのコントローラーと連結された温度調節装置であって、
燃焼加熱装置内の温度を設定するための回転可能なダイヤルを有し、
リングを有し、該リングは、回転可能なダイヤルに作用するように付けられ、該リングは、複数のノッチ入り部分を含んでおり、かつ、
弾性を持つ回り止めを有し、該弾性を持つ回り止めは、リング上の複数のノッチ入り部分のうちの少なくとも１つと係合可能な第１部分を持ち、リング上の複数のノッチ入り部分のうちの少なくとも１つから該弾性を持つ回り止めの第１部分を脱係合させるために、該弾性を持つ回り止めに開放可能に圧力を加えるための第２部分を持ち、かつ、コントローラーに作用するように付けられた第３部分を持っている、
前記温度調節装置。
【請求項２】
回転可能なダイヤルが円形であり、かつ、該ダイヤルは、内側面と外側面とを有する円形フランジに隣接して位置しており、
該円形フランジが、コントローラー上に配置されている、請求項１に記載の温度調節装置。
【請求項３】
円形のフランジが、開口部と、内側部分と、外側部分とを含んでおり、
弾性を持つ回り止めの第２部分が、円形フランジの開口部を通って延びており、これにより、リングの複数のノッチ入り部分のうちの少なくとも１つから、弾性を持つ回り止めの第１部分を離脱させるように、弾性を持つ回り止めが手動で移動させられ得るようになっている、請求項２に記載の温度調節装置。
【請求項４】
弾性を持つ回り止めの第２部分が、円形フランジの外側部分に位置する第１部材を含んでいる、請求項３に記載の温度調節装置。
【請求項５】
弾性を持つ回り止めの第１部分が、リング上の複数のノッチ入り部分のうちの少なくとも１つと選択的に係合するための脚部を含んでいる、請求項３に記載の温度調節装置。
【請求項６】
弾性を持つ回り止めの第２部分が、円形フランジの内側部分に位置する第２部材を含んでいる、請求項４に記載の温度調節装置。
【請求項７】
弾性を持つ回り止めの第１部分が、リング上の複数のノッチ入り部分のうちの少なくとも１つと選択的に係合するための脚部を含んでおり、かつ、
弾性を持つ回り止めの第２部分が、円形フランジの外側部分に位置する第１部材を含んでおり、かつ、
弾性を持つ回り止めの第２部分が、円形フランジの内側部分に位置する第２部材を含んでいる、請求項３に記載の温度調節装置。
【請求項８】
弾性を持つ回り止めの第３部分が、留め部材内に、作用するように固定された留め部分を含んでおり、
該留め部材は、開口部を有し、該開口部は、弾性を持つ回り止めの留め部分が内部で固定されることを可能するものであり、かつ、
留め部材がコントローラーに付けられ、弾性を持つ回り止めを関連を持って移動させ得るようになっている、請求項１に記載の温度調節装置。
【請求項９】
留め部材が円柱状のボスであり、弾性を持つ回り止めの留め部分が円柱状である、請求項８に記載の温度調節装置。
【請求項１０】
コントローラーがガスバルブコントローラーを含んでおり、加熱装置がガス燃焼加熱装置を含んでいる、請求項１に記載の温度調節装置。
【請求項１１】
ガス燃焼加熱装置が湯沸かし器を含んでいる、請求項１０に記載の温度調節装置。
【請求項１２】
コントローラーがサーモスタットを含んでおり、加熱装置が電気加熱装置を含んでいる、請求項１に記載の温度調節装置。
【請求項１３】
電気加熱装置が湯沸かし器を含んでいる、請求項１２に記載の温度調節装置。
【請求項１４】
加熱装置のためのコントローラーと連結された温度調節装置であって、
加熱装置内の温度を設定するための回転可能なダイヤルを有し、
リングを有し、該リングは、コントローラーに作用するように付けられ、該リングは、複数のノッチ入り部分を含んでおり、かつ、
弾性を持つ回り止めを有し、該回り止めは、リング上の複数のノッチ入り部分のうちの少なくとも１つと係合可能な第１部分を持ち、リング上の複数のノッチ入り部分のうちの少なくとも１つから該弾性を持つ回り止めの第１部分を脱係合させるために、該弾性を持つ回り止めに開放可能に圧力を加えるための第２部分を持ち、かつ、回転可能なダイヤルに作用するように付けられた第３部分を持っている、
前記温度調節装置。
【請求項１５】
回転可能なダイヤルが円形であり、かつ、該ダイヤルは、内側面と外側面とを有する円形フランジに隣接して位置しており、
該円形フランジが、コントローラー上に配置されている、請求項１４に記載の温度調節装置。
【請求項１６】
円形のフランジが、開口部と、内側部分と、外側部分とを含んでおり、
弾性を持つ回り止めの第２部分が、円形フランジの開口部を通って延びており、これにより、リングの複数のノッチ入り部分のうちの少なくとも１つから、弾性を持つ回り止めの第１部分を離脱させるように、弾性を持つ回り止めが手動で移動させられ得るようになっている、請求項１５に記載の温度調節装置。
【請求項１７】
弾性を持つ回り止めの第２部分が、円形フランジの外側部分に位置する第１部材を含んでいる、請求項１６に記載の温度調節装置。
【請求項１８】
弾性を持つ回り止めの第１部分が、リング上の複数のノッチ入り部分のうちの少なくとも１つと選択的に係合するための脚部を含んでいる、請求項１６に記載の温度調節装置。
【請求項１９】
弾性を持つ回り止めの第２部分が、円形フランジの内側部分に位置する第２部材を含んでいる、請求項１７に記載の温度調節装置。
【請求項２０】
弾性を持つ回り止めの第１部分が、リング上の複数のノッチ入り部分のうちの少なくとも１つと選択的に係合するための脚部を含んでおり、かつ、
弾性を持つ回り止めの第２部分が、円形フランジの外側部分に位置する第１部材を含んでおり、かつ、
弾性を持つ回り止めの第２部分が、円形フランジの内側部分に位置する第２部材を含んでいる、請求項１６に記載の温度調節装置。
【請求項２１】
弾性を持つ回り止めの第３部分が、留め部材内に、作用するように固定された留め部分を含んでおり、
該留め部材は、開口部を有し、該開口部は、弾性を持つ回り止めの留め部分が内部で固定されることを可能するものであり、かつ、
留め部材がコントローラーに付けられ、弾性を持つ回り止めを関連を持って移動させ得るようになっている、請求項１４に記載の温度調節装置。
【請求項２２】
留め部材が円柱状のボスであり、弾性を持つ回り止めの留め部分が円柱状である、請求項２１に記載の温度調節装置。
【請求項２３】
調節装置を備えた加熱装置のためのコントローラーの温度を調節するための方法であって、
リング上の複数のノッチ入り部分のうちの少なくとも１つから、弾性を持つ回り止めの第１部分を脱係合させるように、該弾性を持つ回り止めの第２部分に圧力を加え、それによって、加熱装置内の温度を設定するための回転可能なダイヤルを、選択温度へと回転できるようにすることを有し、かつ、
リング上の複数のノッチ入り部分のうちの少なくとも１つに、弾性を持つ回り止めの第１部分を係合させるように、該弾性を持つ回り止めの第２部分から圧力を取り除くことを有し、該リングは、回転可能なダイヤルを選択温度に対して位置させるように、該回転可能なダイヤルに、作用するように付けられている、
前記方法。
【請求項２４】
さらに、弾性を持つ回り止めの第２部分を手動で移動させることを有し、該第２部分は、円形フランジの開口部を通って延びており、それによって、弾性を持つ回り止めは、リングの複数のノッチ入り部分のうちの少なくとも１つから、弾性を持つ回り止めの第１部分を脱係合させるよう、関連して手動で移動できるようになっており、
回転可能なダイヤルが、円形であって、かつ、円形フランジに隣接して位置し、内側面と外側面とを有し、該円形フランジがコントローラー上に置かれている、
請求項２３に記載の、コントローラーの温度を調節するための方法。
【請求項２５】
弾性を持つ回り止めの第１部分が、リング上の複数のノッチ入り部分のうちの少なくとも１つと選択的に係合するための脚部を含んでおり、かつ、
弾性を持つ回り止めの第２部分が、円形フランジの外側部分に位置する第１部材を含んでおり、かつ、
弾性を持つ回り止めの第２部分が、円形フランジの内側部分に位置する第２部材を含んでいる、
請求項２３に記載の、コントローラーの温度を調節するための方法。
【請求項２６】
リングが、回転可能なダイヤルに、作用するように接続され、弾性を持つ回り止めが、コントローラーに、作用するように接続されている、請求項２３に記載の、コントローラーの温度を調節するための方法。
【請求項２７】
リングが、コントローラーに、作用するように接続され、弾性を持つ回り止めが、回転可能なダイヤルに、作用するように接続されている、請求項２３に記載の、コントローラーの温度を調節するための方法。
【請求項２８】
コントローラーがガスバルブコントローラーを含んでおり、加熱装置がガス燃焼加熱装置を含んでいる、請求項２３に記載の、コントローラーの温度を調節するための方法。
【請求項２９】
ガス燃焼加熱装置が湯沸かし器を含んでいる、請求項２８に記載の、コントローラーの温度を調節するための方法。
【請求項３０】
コントローラーがサーモスタットを含んでおり、加熱装置が電気加熱装置を含んでいる、請求項２３に記載の、コントローラーの温度を調節するための方法。
【請求項３１】
電気加熱装置が湯沸かし器を含んでいる、請求項３０に記載の、コントローラーの温度を調節するための方法。
【請求項３２】
調節装置を備えた加熱装置のためのコントローラーの温度を調節するための方法であって、
加熱装置内の温度を、選択された低い温度へと下げるために、回転可能なダイヤルを予め定められた第１の方向に回転させることを有し、
リング上の複数のノッチ入り部分のうちの少なくとも１つから、弾性を持つ回り止めの第１部分を脱係合させるように、該弾性を持つ回り止めの第２部分に圧力を加え、かつ、加熱装置内の温度を、選択された高い温度へと上げるために、回転可能なダイヤルを予め定められた第２の方向に回転させることを有し、かつ、
リング上の複数のノッチ入り部分のうちの少なくとも１つに、弾性を持つ回り止めの第１部分を係合させるように、該弾性を持つ回り止めの第２部分から圧力を取り除くことを有し、該リングは、回転可能なダイヤルを、選択された高い温度に対して位置させるように、該回転可能なダイヤルに、作用するように付けられている、
前記方法。
【請求項３３】
コントローラーがガスバルブコントローラーを含んでおり、加熱装置がガス燃焼加熱装置を含んでいる、請求項３２に記載の、コントローラーの温度を調節するための方法。
【請求項３４】
ガス燃焼加熱装置が湯沸かし器を含んでいる、請求項３３に記載の、コントローラーの温度を調節するための方法。
【請求項３５】
コントローラーがサーモスタットを含んでおり、加熱装置が電気加熱装置を含んでいる、請求項３２に記載の、コントローラーの温度を調節するための方法。
【請求項３６】
電気加熱装置が湯沸かし器を含んでいる、請求項３５に記載の、コントローラーの温度を調節するための方法。
【発明の詳細な説明】
【技術分野】
【０００１】
関連出願の相互参照
本特許出願は、２００４年１１月２２日に手続きされた米国仮特許出願第６０／５２２，９３６号に対する優先権を主張するものである。
【背景技術】
【０００２】
発明の背景
湯沸かし器内の水の温度は、通常、回転可能な温度ダイヤルによって、維持・調節される。ガス燃焼式湯沸かし器の場合には、温度ダイヤルがあり、これは、水の温度が設定温度未満に低下すると、ガスの流れをバーナーに誘導するガスコントローラーバルブに、それを作動させるように接続されている。電気温水器については、温度ダイヤルは、水の温度が設定温度未満に低下すると、電気を発熱体に導くサーモスタットに、それを作動させるように接続されている。
【０００３】
過大な水温は、湯沸かし器から供給を受ける種々の蛇口または器具のいずれかにおいてやけどを引き起こす可能性があるという点で、危険である。温度ダイヤルを、偶然あるいは不注意によって動かしてしまうと、予想外の高温で水の出てくる可能性がある。
【０００４】
温度ダイヤルは、典型的には、容易に到達され回されるポジションに位置している。湯沸かし器が容易に接近可能な場所に位置する場合、温度ダイヤルに近寄って接触してくる人あるいは物によって、温度ダイヤルは、容易に、不正変更をされ(tampered)または動かされ得る。
【０００５】
このタイプの不正変更(tampering)から湯沸かし器を適切に守ろうとすれば、典型的には、費用および／またはその使用に関する不便さが増加する結果となる。湯沸かし器を筐体内に入れてロックするには、鍵を保持しておくかまたは組合せを覚えておくかのいずれかが必要になる。筐体のために、湯沸かし器の設置、交換、または供給が妨げられる場合もある。他の解決策では、温度ダイヤルの温度を変更するために、ねじ回し、あるいは他の道具が必要になる。このタイプの装置の例が、２００３年９月９日に発行された米国特許第６，６１７，９５４号（参照により本明細書に含まれる）で説明されている。
【０００６】
以前に開発され、不正変更を防ぐためにコントロールノブまたはバルブと直接的に連結された装置の一部では、実質的に追加の製造費用がかかるか、または用いるのが非常に不便であるかのいずれかである。これらの装置は、さらに、物理的に回転を防ぐために、温度ダイヤルまたはガスコントローラーバルブ／サーモスタットを所定場所にロックすることが可能である。温度ダイヤルおよびガスコントローラーバルブ、または、温度ダイヤルおよびサーモスタットを内部作動機構から脱係合（切り離し）させるには、他の装置が利用できる。製造費用が増加することに加えて、こういった装置は、既存の設備を改造するのが困難であることが多い。
【０００７】
従って、重要な問題は、温度ダイヤルの不注意な調節と、顕著な不便さ、または、製造費用の増加をもたらさない解決策が欠如しているということである。
【０００８】
本発明は、上で示された１つ以上の問題を克服することに向けられる。
【発明の開示】
【０００９】
発明の概要
本発明は、概しては、加熱装置のための、不正変更に抗する(tamper-resistant)温度ダイヤルに対するものである。
【００１０】
本発明の一態様では、加熱装置のためのコントローラーに連結された温度調節装置が開示される。これは、燃焼加熱装置における温度を設定するための回転可能なダイヤルを有し、リングを有し、該リングは、回転可能なダイヤルに作用するように付けられ、該リングは、複数のノッチ入り部分を含んでおり、かつ、弾性を持つ回り止め(resilient detent)を有し、該弾性を持つ回り止めは、リング上の複数のノッチ入り部分のうちの少なくとも１つと係合可能な第１部分を持ち、リング上の複数のノッチ入り部分のうちの少なくとも１つから該弾性を持つ回り止めの第１部分を脱係合させるために、該弾性を持つ回り止めに開放可能に圧力を加えるための第２部分を持ち、かつ、コントローラーに作用するよう(operatively)に付けられた(attached)第３部分を持っている。
【００１１】
本発明の他の態様では、加熱装置のためのコントローラーと連結された温度調節装置が開示される。これは、加熱装置における温度を設定するための回転可能なダイヤルを有し、リングを有し、該リングは、コントローラーに作用するように付けられ、該リングは、複数のノッチ入り部分を含んでおり、かつ、弾性を持つ回り止めを有し、該回り止めは、リング上の複数のノッチ入り部分のうちの少なくとも１つと係合可能な第１部分を持ち、リング上の複数のノッチ入り部分のうちの少なくとも１つから該弾性を持つ回り止めの第１部分を脱係合させるために、該弾性を持つ回り止めに開放可能に圧力を加えるための第２部分を持ち、かつ、回転可能なダイヤルに作用するように付けられた第３部分を持っている。
【００１２】
本発明のさらに他の態様として、調節装置を備えた加熱装置のためのコントローラーの温度を調節するための方法が開示される。この方法は、リング上の複数のノッチ入り部分のうちの少なくとも１つから、弾性を持つ回り止めの第１部分を脱係合させるように、該弾性を持つ回り止めの第２部分に圧力を加え、それによって、加熱装置内の温度を設定するための回転可能なダイヤルを、選択温度へと回転できるようにすることを有し、かつ、リング上の複数のノッチ入り部分のうちの少なくとも１つに、弾性を持つ回り止めの第１部分を係合させるように、該弾性を持つ回り止めの第２部分から圧力を取り除くことを有し、該リングは、回転可能なダイヤルを選択温度に対して位置させるように、該回転可能なダイヤルに、作用するように付けられている。
【００１３】
本発明のさらに別の態様として、調節装置を備えた加熱装置のためのコントローラーの温度を調節するための方法が開示される。この方法は、加熱装置内の温度を、選択された低い温度へと下げるために、回転可能なダイヤルを予め定められた第１の方向に回転させることを有し、
リング上の複数のノッチ入り部分のうちの少なくとも１つから、弾性を持つ回り止めの第１部分を脱係合させるように、該弾性を持つ回り止めの第２部分に圧力を加え、かつ、加熱装置内の温度を、選択された高い温度へと上げるために、回転可能なダイヤルを予め定められた第２の方向に回転させることを有し、かつ、
リング上の複数のノッチ入り部分のうちの少なくとも１つに、弾性を持つ回り止めの第１部分を係合させるように、該弾性を持つ回り止めの第２部分から圧力を取り除くことを有し、該リングは、回転可能なダイヤルを、選択された温度に対して位置させるように、該回転可能なダイヤルに、作用するように付けられている。
【００１４】
これらの態様は、単に本発明の無数の態様の一部であり、本発明に関連する無数の態様すべて含むものをリストアップしたと見なすべきではない。これらの態様および他の態様は、以下に示す開示と添付図面を考慮に入れれば当業者にとって明らかになる。
【００１５】
本発明をさらに理解するために、添付図面を参照してもよい。
【発明を実施するための最良の形態】
【００１６】
発明の詳細な説明
以下の詳細な説明では、本発明の完全な理解をもたらすために、多数の具体的な詳細が示される。しかしながら、こういった具体的な詳細がなくとも本発明が実施できることは当業者によって理解されるであろう。他の例では、本発明をぼかすことがないように、既知の方法、手順、構成要素については詳細に説明されていない。
【００１７】
ここで図面を参照し、そして初めには図１を参照すると、該図は、加熱装置１０の斜視図である。加熱装置１０の例示であって限定的でない例には、湯沸かし器(water heater)が含まれるが、それには限定されない。該加熱装置１０には、コントローラー１２が取り付けられている。該コントローラー１２は、バーナー（図示せず）へのガスの流れを調整するガスバルブコントローラー、または、発熱要素（図示せず）に加えられる電流を調整するサーモスタットを、個々に含んでよいが、限定はされない。加熱装置１０が湯沸かし器であれば、選択された温度に水を維持するように、バーナーは水タンク（図示せず）の下に位置する。温度を調節するため、または、点火バーナーの火炎を調節するために、容易に手が届く(access)ように、コントローラー１２、例えば、ガスコントローラーバルブまたはサーモスタットは、加熱装置１０の側部に設けられる。不正変更に抗する温度ダイヤルは、全体として番号１６で示されている。また、弾性を持つ回り止めがあり、これは全体として番号３２で示されている。
【００１８】
ここで図２および３を参照すると、これらの図は、加熱装置１０のためのコントローラー１２の部分拡大し切り欠いた前面の図である。コントローラー１２のためのカバーがあり、全体として番号１８で示されている。カバー１８には、内側面２２と外側面２４とを有する円形フランジ２０が備えられている。
【００１９】
ラチェットがあり、全体として番号２６で示されている。該ラチェット２６は、リング３０上に、番号２８によって示されているノッチ入り部分(notched portion)を複数含んでいる。好ましくは、該リング３０は、この不正変更に抗する温度ダイヤル１６に対して付けられるか、または、これと一体化される。ノッチ入り部分２８の、例示であって限定的ではない例には、一連になった、ノコギリ歯の刻み目（セレーション）が含まれる。リング３０は、好ましくは、硬い材料、例えば金属で構成されるが、必ずしもそうでなくともよい。しかしながら、代替的な態様としては、リング３０は、コントローラー１２のためのカバー１８に取り付けられるか、または、それと一体化されていてもよい。
【００２０】
ここで図２、３および４を参照すると、ラチェット２６は、また、弾性を持つ回り止め３２を含んでいる。弾性を持つ回り止め３２は、第１部分３６と、第２部分３４とを含んでいる。第１部分３６は、脚部３８を含むことができ、それは、リング３０上の複数のノッチ入り部分２８のうちの少なくとも１つと係合可能になっている。第２部分３４は、弾性を持つ回り止め３２の手動による係合のためのレバーとして機能する。円形フランジ２０には開口部４０があり、弾性を持つ回り止め３２の第２部分３４が、該開口部４０を通って突出し、円形フランジ２０の外側面２４の外側に延伸できるようになっている。弾性を持つ回り止め３２は、第３部分４２を含んでおり、この部分は、コントローラー１２のカバー１８に、作用するように付けられている(operatively attached)。例示的であって限定的ではない、この作用する付着(operative attachment)の例として、第３部分４２の留め部分(securement portion、固定する部分)４１を取り囲んでいる、留め部材(securement member、固定する部材)４４の利用が含まれる。例示的であって限定的ではない態様では、留め部材４４は、例えば、開口部４６を持った円柱状のボスであって、そして、留め部分４１は、円柱状であり、かつ、留め部材４４（例えば、円柱状）によって固定され、弾性を持つ回り止め３２の残りの部分が、留め部材４４の開口部４６を通って外側に延伸している。しかしながら、留め部材４４と留め部分４１の広く変化に富んだ形状や構成を用いてよい。
【００２１】
ここで図２および４を参照すると、弾性を持つ回り止め３２の第１部分３４が、第１部材４８を含んでおり、この部材は、開口部４０を通って円形フランジ２０の外側に位置しており、円形フランジ２０の外側面２４に隣接している。また、弾性を持つ回り止め３２の第１部分３４が、第２部材５０を含んでおり、この部材は、円形フランジ２０の内側に位置し、かつ、開口部４０の前に位置し、円形フランジ２０の内側面２２に隣接している。弾性を持つ回り止め３２は、好ましくは、例えば、アセタールといった可撓性を有するプラスチックであるような、多種多様の材料から作製することが可能である。
【００２２】
ここで図５を参照すると、この不正変更に抗する温度ダイヤル１６の上面部(top)が、フランジの付いた縁部５３を伴った最上部カバー５２と共に示されている。温度指示として、「熱い(hot)」５４、「温かい(warm)」５６、「休止(vacation)」５８といったものがあるが、これらに限定されない。この不正変更に抗する温度ダイヤル１６は、多種多様な材料から作製することが可能であり、好ましい材料として成形プラスチックがある。
【００２３】
ここで図６を参照すると、この不正変更に抗する温度ダイヤル１６の底部(bottom)が、フランジの付いた縁部５３と共に示されている。複数のノッチ入り部分２８を有するリング３０も同様に示されている。該リング３０内には、第１の弧状のセグメント６０と、第２の弧状のセグメント６２と、第３の弧状のセグメント６４と、第４の弧状のセグメント６６とがある。これらのセグメント(segment、区画部分）６０，６２，６４および６６は、それぞれ、回転可能なこの不正変更に抗する温度ダイヤル１６を、コントローラー１２に固定するために、リング３０に取り付けられている（図１参照）。第１の弧状のセグメント６０は、リング３０に直接的に接続されている。第２の弧状のセグメント６２は、第１の接続部材６８を通じてリング３０に接続され、第３の弧状のセグメント６４は、第２の接続部材７０を通じてリング３０に接続されている。第４の弧状のセグメント６６はリング３０に直接的に接続されている。好ましくは、開口部７２があり、これは、加熱装置１０（図１参照）のためのコントローラー１２に対するカバー１８上に位置するピン（図示せず）を受け入れることができる。
【００２４】
当該不正変更に抗する温度ダイヤル１６によって、設定温度を上げるために１つの方向に回転し、設定温度を下げるために反対の方向に回転することで、設定温度が選択できるようになる。図１で示されるとおり、当該不正変更に抗する温度ダイヤル１６は、湯沸かし器を低い温度にするように、反時計回りの方向に回転させることが可能である。ここで図２を参照すると、回り止め３２の第１部分３６の脚部３８は、複数のノッチ入り部分２８の中の１つのノッチ入り部分から、隣りのノッチ入り部分へ滑ることが可能である。複数のノッチ入り部分２８から、回り止め３２の第１部分３６の脚部３８を取り外すためには、誰かが回り止め３２の第２部分３４に手動で圧力をかけなければ、回り止め３２の第１部分３６の脚部３８が、複数のノッチ入り部分２８のうちの１つのノッチ入り部分から移動することができないため、この湯沸かし器が温かい温度へと下がることは起こりえない。回り止め３２は、取り付けられた第３部分４２と関連して動く。回り止め３２の第１部分３６の脚部３８が複数のノッチ入り部分２８と係合しなくなれば、不正変更に抗する温度ダイヤル１６は、所望の高い温度になるように、時計回りに回転させることが可能である。
【００２５】
本発明の好ましい態様と、これを用いる方法とは、かなり詳細に前述の仕様で説明された。添付請求項の適用範囲を逸脱することなく本発明に対して改造を行うことができ、本発明に関わる当業者による本発明の改造された形態は、こういった改造された形態が本発明の請求された適用範囲内にある場合には、本発明への侵害とみなされることを理解するべきである。
【図面の簡単な説明】
【００２６】
【図１】図１は、本発明による、不正変更に抗する温度ダイヤルを有する加熱装置（例えば、湯沸かし器）の斜視図である。
【図２】図２は、加熱装置（例えば、湯沸かし器）のためのコントローラーの、拡大し切り欠いた前面の図であって、本発明に従って、複数のノッチ入り部分を持ったリングと、係合されていない弾性を持つ回り止めとを含んでいる。
【図３】図３は、図２に示したように、加熱装置（例えば、湯沸かし器）のためのコントローラーの、拡大し切り欠いた前面の図であって、本発明に従って、複数のノッチ入り部分を持ったリングと、係合された弾性を持つ回り止めとを含んでいる。
【図４】図４は、本発明による、図２に示した、弾性を持つ回り止めの側部の立面図である。
【図５】図５は、本発明による、図１に示した温度ダイヤルの、上面斜視図である。
【図６】図６は、本発明による、図１に示した温度ダイヤルの、底面斜視図である。
【図１】
2008520957.tif 000003
【図２】
2008520957.tif 000004
【図３】
2008520957.tif 000005
【図４】
2008520957.tif 000006
【図５】
2008520957.tif 000007
【図６】
2008520957.tif 000008
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
加熱装置（１０）内の温度を調節するための装置であって、当該温度を調節するための装置は、
加熱装置（１０）内の温度を設定するための回転可能なダイヤル（１６）を有し、
該回転可能なダイヤル（１６）に、作用するように付けられたリング（３０）を有し、該リング（３０）は、複数のノッチ入り部分（２８）を有しており、かつ、
弾性を持つ回り止め（３２）を有し、
該回り止めは、第１部分（３６）を有し、該第１部分は、リング（３０）の複数のノッチ入り部分（２８）のうちの少なくとも１つと係合可能であって、該第１部分（３６）がリング（３０）のノッチ入り部分（２８）に係合すると、回転可能なダイヤル（１６）は少なくとも一方の方向に回転することが妨げられ、
該回り止めは、第２部分（３４）を有し、該第２部分は、引っ張られたときに、リング（３０）のノッチ入り部分（２８）から該弾性を持つ回り止め（３２）の第１部分（３６）を脱係合させるためのものであり、かつ、
該回り止めは、第３部分（４２）を有し、該第３部分は、加熱装置（１０）のコントローラー（１２）に対して、弾性を持つ回り止め（３２）を、作用するように付けるためのものである、
前記装置。
【請求項２】
回転可能なダイヤル（１６）が、円形であり、かつ、コントローラー上に配置されている円形フランジ（２０）に隣接して位置する構成とされている、請求項１に記載の、温度を調節するための装置。
【請求項３】
円形のフランジ（２０）が、開口部を有し、
弾性を持つ回り止め（３２）の第２部分（３４）が、円形フランジ（２０）の開口部を通って延びる構成とされている、請求項２に記載の、温度を調節するための装置。
【請求項４】
弾性を持つ回り止め（３２）の第２部分（３４）が、円形フランジ（２０）の外側に位置するように構成された第１部材（４８）を有している、請求項３に記載の、温度を調節するための装置。
【請求項５】
弾性を持つ回り止め（３２）の第１部分（３６）が、リング（３０）の複数のノッチ入り部分（２８）のうちの少なくとも１つと選択的に係合するための脚部（３８）を有している、請求項３に記載の、温度を調節するための装置。
【請求項６】
弾性を持つ回り止め（３２）の第３部分（４２）が、留め部材（４４）内に、作用するように固定されるよう構成された留め部分（４１）を有しており、かつ、
弾性を持つ回り止め（３２）がコントローラー（１２）と関連を持って移動できるように、該留め部材（４４）が構成されている、請求項１に記載の、温度を調節するための装置。
【請求項７】
留め部材（４４）が円柱状のボスであり、弾性を持つ回り止め（３２）の留め部分（４１）が円柱状である、請求項６に記載の、温度を調節するための装置。
【請求項８】
コントローラー（１２）がガスバルブコントローラーを有しており、加熱装置（１０）がガス燃焼加熱装置を有している、請求項１に記載の、温度を調節するための装置。
【請求項９】
ガス燃焼加熱装置が湯沸かし器を有している、請求項８に記載の、温度を調節するための装置。
【請求項１０】
コントローラー（１２）がサーモスタットを有しており、加熱装置（１０）が電気加熱装置を有している、請求項１に記載の、温度を調節するための装置。
【請求項１１】
電気加熱装置が湯沸かし器を有している、請求項１０に記載の、温度を調節するための装置。
【請求項１２】
加熱装置（１０）内の温度を調節するための方法であって、
当該方法は、
回転可能なダイヤル（１６）に作用するように付けられたリング（３０）のノッチ入り部分（２８）から、弾性を持つ回り止め（３２）の第１部分（３６）を脱係合させるように、該弾性を持つ回り止め（３２）の第２部分（３４）を引っ張ることを有し、
加熱装置（１０）内の温度を設定するために、回転可能なダイヤル（１６）を回転させることを有し、かつ、
リング（３０）のノッチ入り部分（２８）に、弾性を持つ回り止め（３２）の第１部分（３６）を係合させるように、該弾性を持つ回り止め（３２）の第２部分（３４）を開放し、かつ、それによって、回転可能なダイヤル（１６）が少なくとも一方の方向に回転するのを妨げることを有する、
前記方法。
【国際調査報告】
2008520957.tif 000009
2008520957.tif 000010
2008520957.tif 000011